(57)【要約】【課題】オリジナルのハイブリッド光ディスクに対してのみ追記を許可し、オリジナル以外のハイブリッド光ディスクには追記をさせないようにしたハイブリッド光ディスクおよびその再生用ドライブを提供する。【解決手段】再生専用のＲＯＭ領域（ＲＯＭ部１１）と、追記可能なＲＡＭ領域（ＲＡＭ部１２）とを備えてなるハイブリッド光ディスク（オリジナル光ディスク１０）において、前記ＲＯＭ領域の第１の領域（データ部１１ｃ）と第２の領域（ＰＭＡ部１１ａ）との双方に、それぞれオリジナル光ディスクであることを識別する情報（第１のＤｉｓｃＩＤ）をスタンプした。このようにすれば、第１の領域と第２の領域にスタンプまたは記録されたＤｉｓｃＩＤを比較し、同一のＤｉｓｃＩＤであればオリジナル光ディスクと判断し、同一でなければコピー済み光ディスクと判断できる。【選択図】　　図１
2004039014.tif 000002
【特許請求の範囲】
【請求項１】
再生専用のＲＯＭ領域と、追記可能なＲＡＭ領域とを備えてなるハイブリッド光ディスクにおいて、
前記ＲＯＭ領域の第１の領域と第２の領域との双方に、それぞれオリジナル光ディスクであることを識別する情報をスタンプしたことを特徴とするハイブリッド光ディスク。
【請求項２】
請求項１記載のハイブリッド光ディスクにおいて、
前記ＲＯＭ領域に、コピー対象のハイブリッド光ディスクが、追記可であるか、追記不可であるかを判定する追記可否判定プログラムをスタンプしたことを特徴とするハイブリッド光ディスク。
【請求項３】
請求項２記載のハイブリッド光ディスクを再生するドライブは、
当該ドライブに装填された前記ハイブリッド光ディスクの追記可否判定プログラムを読み取る追記可否判定プログラム読取手段と、
前記ハイブリッド光ディスク識別情報を読み取るハイブリッド光ディスク識別情報読取手段と、
前記追記可否判定プログラム読取手段とハイブリッド光ディスク識別情報読取手段が、それぞれ読み取った追記可否判定プログラムとハイブリッド光ディスク識別情報とに基づいて、当該ドライブに装填されたハイブリッド光ディスクに対し追記可であるか、不可であるかを判定する追記可否判定手段と
を備えたことを特徴とするハイブリッド光ディスク再生用ドライブ。
【請求項４】
請求項３記載のハイブリッド光ディスク再生用ドライブを、パーソナルコンピュータに接続したことを特徴とするハイブリッド光ディスク再生装置。
【発明の詳細な説明】
【０００１】
【発明の属する技術分野】
本発明は、ハイブリッド光ディスクおよびその再生用ドライブに関し、特に、オリジナルのハイブリッド光ディスクに対してのみ追記を許可し、オリジナル以外のハイブリッド光ディスクには追記をさせないようにしたハイブリッド光ディスクおよびその再生用ドライブに関する。
【０００２】
【従来の技術】
ＰＣ（パソコン）用のＯＳ（基本ソフト）やアプリケーションプログラム，データがスタンプ（量産時にＲＯＭ形式で記録）された「ＣＤ−ＲＯＭ」が、知られている。このＣＤ−ＲＯＭは、再生専用のＣＤであるため、アプリケーションプログラムの修正やデータが追記不能という短所がある。しかし、見方を変えると、ＣＤ−ＲＯＭが追記不能であることは、データ等の改ざんや消去ができないという長所でもある。
一方、「ＣＤ−Ｒ／ＲＷ」は、データの追記や書き換えが可能な光ディスクであるため、アプリケーションプログラムの修正やデータの更新が容易という長所を持つが、逆にデータの改ざんや消去が可能という短所も併せ持つ。
【０００３】
また、ドライブ（駆動装置）によりデータを記録した（デュプリケーション（複製）により作成した）ＣＤ−Ｒ／ＲＷは、ＣＤ−ＲＯＭの長所（改ざんや消去が不能）とＣＤ−Ｒ／ＲＷの長所（データの修正・更新が可能）の双方を持った記録媒体である。しかし、ドライブによりデータを記録する必要があるため、大量にしかも早く安く生産するのが困難である。
かかる低コストで大量生産に適した記録媒体として、ＣＤ−ＲＯＭとＣＤ−Ｒ／ＲＷの双方の長所を兼ね備えたＲＯＭとＲＡＭを含んだ「ハイブリッドＣＤ−Ｒ／ＲＷ」（以下、ハイブリッド光ディスクと記す）が提案されている。このハイブリッド光ディスクは、第１セッションをＣＤ−ＲＯＭと同様の凹凸のピットにより形成した再生専用のＲＯＭ領域とし、第２セッション以降を追記，消去可能なＲＡＭ領域としている。
【０００４】
ところで、ＣＤ−ＲＯＭは、反射層材料としてＡｌ（アルミニウム）を使用している。これに対し、ハイブリッド光ディスクは、データを追記するため及び反射率をＲＯＭ部とＲＡＭ部で同一にするためなどの理由により（これにより市販のＣＤ記録再生装置による再生が可能となる）、ディスク全面をライトワンス（１回のみの書き込みはできるが、消去はできない記録方式）の色素材料や書き換え可能な相変化型記録材料で形成している。
【０００５】
【発明が解決しようとする課題】
しかしながら、前述のドライブを用いたデュプリケーションにより作成したハイブリッド光ディスクは、データ等のコンテンツのコピーや追記が可能であり、オリジナル（原本）のハイブリッド光ディスクも、コピー用のハイブリッド光ディスクも、同様にコピー・追記可能となってしまう。
【０００６】
これでは次のような不都合がある。例えば、最新ヒット曲のオリジナルのハイブリッド光ディスクを正規に一枚購入し、このヒット曲をコピー用のハイブリッド光ディスク（ブランクディスク）にコピーする。そして、このコピー済みのハイブリッド光ディスクから、さらに別のコピー用ハイブリッド光ディスクにコピーする。これでは、コピー済みのハイブリッド光ディスクから次々に別のコピー用イブリッド光ディスクにコピーがされてしまう。
ここに、著作権法ではオリジナルからのコピーは、私的使用の場合のみ認められているので、コピー済みのハイブリッド光ディスクから次々とコピー用ハイブリッド光ディスクにコピーすることは、著作権法違反である。
また、前記コピー用のハイブリッド光ディスクが、追記および消去が可能なＲＡＭ領域のみからなる場合にも、前述と同様の不都合がある。
【０００７】
本発明は上記の事情にかんがみなされたもので、オリジナルのハイブリッド光ディスクに対してのみ追記を許可し、オリジナル以外のハイブリッド光ディスクには追記をさせないようにしたハイブリッド光ディスクおよびその再生用ドライブの提供を目的とする。
【０００８】
【課題を解決するための手段】
前記課題を解決するために請求項１の発明は、再生専用のＲＯＭ領域と、追記可能なＲＡＭ領域とを備えてなるハイブリッド光ディスクにおいて、
前記ＲＯＭ領域の第１の領域（図１（Ａ）のデータ部１１ｃ）と第２の領域（ＰＭＡ部１１ａ）との双方に、それぞれオリジナル光ディスクであることを識別する情報（第１のＤｉｓｃＩＤ）をスタンプした構成としてある。
【０００９】
このようにすれば、オリジナル光ディスク１０は、例えば図１（Ａ）に示したようになり、第１のＤｉｓｃＩＤが、データ部１１ｃとＰＭＡ部１１ａの双方にスタンプされている。
一方、オリジナル光ディスク１０からスタンプしたコピー済み光ディスク２０は、図１（Ｂ）に示したようになり、第１のＤｉｓｃＩＤはデータ部２１ｃのみに記録され、ＰＭＡ部２１ａには「第２のＤｉｓｃＩＤ」が記録される。この第２のＤｉｓｃＩＤは、コピーを実施したドライブが自身でランダムに発生して記録したものであり、第２のＤｉｓｃＩＤと第１のＤｉｓｃＩＤとは異なる。
【００１０】
従って、第１の領域と第２の領域にスタンプまたは記録されたＤｉｓｃＩＤを比較し、同一のＤｉｓｃＩＤ（即ち、第１のＤｉｓｃＩＤ）であればオリジナル光ディスクと判断し、同一でなければ（例えば、第１のＤｉｓｃＩＤと第２のＤｉｓｃＩＤ）コピー済み光ディスクと判断できる。
そして、例えば再生・記録用のドライブにこの比較判断機能を持たせておけば、「オリジナル光ディスクの場合は追記・コピーを可能」とし、「コピー済み光ディスクの場合は追記・コピーを不可能」とすることができる。つまり、コピー済み光ディスクからコピー用光ディスクへの追記・コピーを、不可能にすることができる。
【００１１】
また、請求項２では、請求項１記載のハイブリッド光ディスクにおいて、
前記ＲＯＭ領域に、コピー対象のハイブリッド光ディスクが、追記可であるか、追記不可であるかを判定する追記可否判定プログラムをスタンプした構成としてある。
このようにすれば、コピー用光ディスクにオリジナル光ディスクからコピーした場合に、追記可否判定プログラムも同時にコピーされるので、コピー済み光ディスクだけで追記・コピーが可能か否かを判定できる。
【００１２】
また、請求項３では、請求項２記載のハイブリッド光ディスクを再生するドライブは、
当該ドライブに装填された前記ハイブリッド光ディスクの追記可否判定プログラムを読み取る追記可否判定プログラム読取手段（図２の追記可否判定プログラム読取部３１）と、
前記ハイブリッド光ディスク識別情報を読み取るハイブリッド光ディスク識別情報読取手段（ＤｉｓｃＩＤ読取部３２）と、
前記追記可否判定プログラム読取手段とハイブリッド光ディスク識別情報読取手段が、それぞれ読み取った追記可否判定プログラムとハイブリッド光ディスク識別情報とに基づいて、当該ドライブに装填されたハイブリッド光ディスクに対し追記可であるか、不可であるかを判定する追記可否判定手段（追記可否判定部３３）とを備えた構成としてある。
【００１３】
このようにすれば、ドライブ単体で、装填されたオリジナル光ディスクまたはコピー用光ディスクに対し、ＤｉｓｃＩＤと追記可否判定プログラムを読み取り、それらの光ディスクに対し、追記可であるか、追記不可であるかを、判定することができる。
【００１４】
また請求項４では、請求項３記載のハイブリッド光ディスク再生用ドライブ（図２のＣＤ−ＲＷドライブ３０）を、パーソナルコンピュータ（パソコンＰＣ）に接続した構成としてある。
このようにすれば、例えば図２に示すように、再生用ドライブ（ＣＤ−ＲＷドライブ３０）をパソコン（パソコンＰＣ）に接続（例えば、内蔵）しておけば、そのパソコンにより、装填された光ディスク（オリジナル光ディスク１０またはコピー済み光ディスク２０）への追記・コピーが可能であるか、不可能であるかを判定することができる。
【００１５】
【発明の実施の形態】
以下、本発明を図示の実施の形態に基づいて説明する。
図１（Ａ）は本実施形態のオリジナルのハイブリッド光ディスクの模式図、図１（Ｂ）はコピー用のハイブリッド光ディスク（ブランクディスク）にオリジナルディスクからコピーした場合の模式図、図２は本実施形態を適用するシステム構成図、図３は光ディスクへの追記可否判定のフローチャート図、図４は本実施形態のハイブリッド光ディスクの形成プロセスを示す図である。
【００１６】
図１（Ａ）に示すように、本実施形態のハイブリッド光ディスク（以下、オリジナル光ディスクと記す）１０は、再生専用のデータをスタンプしたＲＯＭ部１１と、追記可能なＲＡＭ部１２を備えてなる。
ＲＯＭ部１１には、ＰＭＡ（プログラムメモリーエリア）部１１ａと、ＴＯＣ（Ｔａｂｌｅ　ｏｆ　Ｃｏｎｔｅｎｔｓ）部１１ｂと、データ部１１ｃと、必要なデータの読み込みが終了したことを示すデータを記録したリードアウト部１１ｄを形成する。
【００１７】
ＰＭＡ部１１ａには一枚一枚のオリジナル光ディスクを識別する情報である「第１のＤｉｓｃＩＤ」（オリジナル・光ディスク識別情報）を量産時にスタンプし、データ部１１ｃには前記第１のＤｉｓｃＩＤと「追記可否判定プログラム」を量産時にスタンプする。
ここに、追記可否判定プログラムとは、ＣＤ−ＲＷドライブ３０（後述）に装填された光ディスクが、オリジナル光ディスクであるか、コピー用の光ディスク（ブランクディスク）であるかの判定を行うプログラムである。
【００１８】
これに対し、オリジナル光ディスク１０からコピー用のハイブリッド光ディスクにコピーしたコピー済みのハイブリッド光ディスク（以下、コピー済み光ディスクと記す）２０は、図１（Ｂ）に示すように、ＲＯＭ部２１とＲＡＭ部２２を備えてなる。
ＲＯＭ部２２は、ＰＭＡ部２１ａ，ＴＯＣ部２１ｂ，データ部２１ｃ，リードアウト部２１ｄを備える。そして、前述のオリジナル光ディスク１０からのコピーにより、ＰＭＡ部２１ａには次に説明する「第２のＤｉｓｃＩＤ」が記録される。また、ＴＯＣ部２１ｂにはオリジナル光ディスク１０のＴＯＣ部１１ｂのデータがそのままコピーされ、データ部２１ｃには前記第１のＤｉｓｃＩＤと追記可否判定プログラムがそのままコピーされ、リードアウト部２１ｄにはオリジナル光ディスク１０のリードアウト部１１ｄのデータがそのままコピーされる。
【００１９】
ここに、前記第２のＤｉｓｃＩＤは、前記コピーを実行したドライブがランダムな値をコピー用光ディスクに記録するので、オリジナル光ディスク１０に記録された第１のＤｉｓｃＩＤと一致する確率はゼロに近い。
なお、ＰＭＡ部２１ａ，ＴＯＣ部２１ｂ，データ部２１ｃ，リードアウト部２１ｄには、ドライブのライトアットワンスにより１回のみ追記が可能であるが、その後はＲＯＭ機能となり追記が不可能となるので、ＲＯＭとして図示した。
【００２０】
次に、図２に示したパーソナルコンピュータ（パソコン）ＰＣについて説明する。パソコンＰＣは、前述のオリジナル光ディスク１０とコピー済み光ディスク２０とを、それぞれ別個に装填し、「光ディスクへの追記可否」を判定する。
図２に示すように、パソコンＰＣは、オリジナル光ディスク１０またはコピー済み光ディスク２０をそれぞれ装填し、再生，追記等を行うＣＤ−ＲＷドライブ３０と、装填された光ディスクへの追記の可否を判定する光ディスク判定制御部４０と、追記の可否を表示する表示部５０とを備えてなる。
【００２１】
ＣＤ−ＲＷドライブ３０は、追記可否判定プログラム読取部３１と、ＤｉｓｃＩＤ読取部３２と、追記可否判定部３３とを備える。追記可否判定プログラム読取部３１と、ＤｉｓｃＩＤ読取部３２と、追記可否判定部３３は、プログラムにより構成することが可能である。
追記可否判定プログラム読取部３１は、光ディスク（オリジナルまたはコピー済み）のデータ部に記録またはコピーされた追記可否判定プログラムを読み取る。ここに、「コピー」とはオリジナル光ディスクからのコピーをいい、「記録」とはオリジナル光ディスクの量産時にスタンプにより記録することをいう。
【００２２】
ＤｉｓｃＩＤ読取部３２は、装填されたオリジナル光ディスク１０またはコピー済み光ディスク２０の各種のＤｉｓｃＩＤを読み取る。ＤｉｓｃＩＤには、前記図１（Ａ），（Ｂ）に示したように、オリジナル光ディスク１０であればＰＭＡ部１１ａに記録された「第１のＤｉｓｃＩＤ」と、データ部１１ｃに記録された「第１のＤｉｓｃＩＤ」とがある。また、コピー済み光ディスク２０であれば、ＰＭＡ部２１ａに記録された「第２のＤｉｓｃＩＤ」と、データ部２１ｃにコピーされた「第１のＤｉｓｃＩＤ」がある。
【００２３】
追記可否判定部３３は前記読み取ったＤｉｓｃＩＤおよび追記可否判定プログラムにより、「ＰＭＡ部１１ａとデータ部１１ｃの双方に前記第１のＤｉｓｃＩＤがスタンプされている場合」には、追記可能と判断する。そして、追記可能の信号（Ｄｉｓｃ　Ｉｄｅｎｔｉｆｉｃａｔｉｏｎ　Ｖａｌｉｄ　ｂｉｔ、以下ＤＩＶＢ＝１と記す）を発生し、光ディスク判定制御部４０へＤＩＶＢ＝１を返信する。
一方、コピー済み光ディスク２０の場合には、データ部２１ｃに第１のＤｉｓｃＩＤがコピーされているものの、ＰＭＡ部２１ａには第２のＤｉｓｃＩＤがコピーされている。従って、「ＰＭＡ部２１ａとデータ部２１ｃの双方から第１のＤｉｓｃＩＤを読み取ることができない」。即ち、前述のように、ドライブがランダムに発生した第２のＤｉｓｃＩＤと、予めスタンプした第１のＤｉｓｃＩＤとが一致する確率は、極めて低い。この場合は、追記可否判定プログラムにより追記不可と判断し、追記不可の信号（ＤＩＶＢ＝０）を光ディスク判定制御部４０へ返信する。
【００２４】
また、オリジナル光ディスクであっても、例えば「第３のＤｉｓｃＩＤ（即ち、全く別のＤｉｓｃＩＤ）」をスタンプしたオリジナル光ディスクの場合は、読み取ったＤｉｓｃＩＤが別のものであるので、追記可否判定プログラムは追記不可と判断する。そして、追記不可の信号（ＤＩＶＢ＝０）を光ディスク判定制御部４０へ返信する。
さらに、ＰＭＡ部１１ａ，２１ａに何も記録やコピーがされていない場合は、追記不可の信号（ＤＩＶＢ＝０）を光ディスク判定制御部４０へ返信する。
【００２５】
次に、光ディスク判定制御部４０は、判定要求コマンド送受信部４１と、表示制御部４２とを備える。判定要求コマンド送受信部４１と、表示制御部４２は、プログラムにより構成することが可能である。
判定要求コマンド送受信部４１は、装填された光ディスクの追記可否の判定を要求するための「判定要求コマンド」をＣＤ−ＲＷドライブ３０へ送信し、ＣＤ−ＲＷドライブ３０からの応答を受信する。受信結果は、前述の「追記可（ＤＩＶＢ＝１）」または「追記不可（ＤＩＶＢ＝０）」のいずれかである。
表示制御部４２は、判定コマンド送受信部４１の出力が追記可能であれば表示部５０に「追記可能」と表示する制御を行い、追記不可であれば「追記不可」と表示する制御を行う。ユーザは「追記不可」の表示を観た場合には、その光ディスク（実は、コピー済み光ディスク）からの更なるコピーが不可能であることを、知ることになる。
【００２６】
次に、本実施形態の動作を、図１，図２、および図３に示すフローチャート図に基づいて説明する。
図３に示すように、追記可否の判定を行う光ディスクを、パソコンＰＣのＣＤ−ＲＷドライブ３０に装填する（ステップＳ１）。図示省略の電源スイッチをＯＮし、パソコンＰＣを動作させる（ステップＳ２）。装填済みの光ディスクは回転し、この回転状態でＣＤ−ＲＷドライブ３０の追記可否判定プログラム読取部３３は、追記可否判定プログラムを読み取り（ステップＳ３）、ＤｉｓｃＩＤ読取部３２は、ＤｉｓｃＩＤを読み取る（ステップＳ４）。
【００２７】
読み取ったＰＭＡ部とデータ部のそれぞれのＤｉｓｃＩＤが一致すれば、前述のように装填された光ディスクはオリジナル光ディスク１０であるので、追記可能と判断し（ステップＳ５：一致）、オリジナル光ディスク１０への追記を実行する（ステップＳ６）。この追記用のデータは、別途用意しておく。
逆に、光ディスクがコピー済み光ディスク２０であれば、ＰＭＡ部とデータ部のそれぞれのＤｉｓｃＩＤが一致しないので、追記不可と判断し（ステップＳ５：一致せず）、表示部５０に「追記不可」と表示する（ステップＳ７）。また、ＤｉｓｃＩＤがスタンプされていない場合でも、表示部５０に「追記不可」と表示する。
【００２８】
このようにすれば、ＰＭＡ部とデータ部のそれぞれのＤｉｓｃＩＤが一致するオリジナル光ディスクのみへの追記が可能となる。また、前記それぞれのＤｉｓｃＩＤが一致しない場合（コピー済み光ディスク）への追記、およびオリジナルであっても全く別のＤｉｓｃＩＤの光ディスクへの追記は不可能とすることができる。
【００２９】
次に、本実施形態に使用するオリジナル光ディスクの作成方法を説明する。
図４は、本実施形態に使用するオリジナル光ディスクの形成プロセスを示す図である。本実施形態では、特許第３０４１３８８号（光情報記録媒体及び光情報記録媒体用スタンパの原盤製造方法）と同様の方法により、光ディスクを作成するためのスタンパを作ることができる。
【００３０】
図４に示すように、ガラス板に第１フォトレジストをスピンコートにより塗布し（ステップＳ１１）、第１フォトレジスト上に中間層を設ける（ステップＳ１２）。中間層はピットやグルーブを形成するためにアルゴンレーザ光波長を使用の下に透明な材料が用いることができ、ＺｎＯ，ＩＴＯなどの酸化物透明膜をスパッタにより形成する。
次いで、中間層上に第２フォトレジストをスピンコートにより形成後（ステップＳ１３）、レーザーカッティングを行う。レーザーカッティングによりＲＯＭ部のＰＭＡ（プログラムメモリーエリア），ＴＯＣ（Ｔａｂｌｅ　Ｏｆ　Ｃｏｎｔｅｎｔｓ），データ部，リードアウトの凹凸ピットと、ＲＯＭ及びＲＡＭ部のＡＴＩＰ（Ａｂｓｏｌｕｔｅ　Ｔｉｍｅ　Ｉｎ　Ｐｌｅｇｒｏｏｖｅ）と呼ばれるグルーブ（溝）とアドレス情報を形成する。前記ＰＭＡとデータ部に個々の光ディスクを識別するための識別情報としてＤｉｓｃＩＤを形成する（図１（Ａ）参照）。
【００３１】
ＲＯＭ部のピットとＲＯＭ及びＲＡＭ部のグルーブを形成するために、２ビーム露光を行い、ピット部はハイパワー、グルーブ部はローパワーで露光を行う（ステップＳ１４）。グルーブとＡＴＩＰアドレス情報を形成するために、レーザ光をウォブリングすることによりアドレス情報を形成する。
【００３２】
露光完了後、１ｓｔ現像を行い（ステップＳ１５）、第２フォトレジストの露光部分を除去し中間層をエッチングにより取り去ったあと（ステップＳ１６）、２ｎｄ現像を行いピットとグルーブの２つの深さを持った原版が完成する（ステップＳ１７）。その後、Ｎｉスパッタ及び電鋳法により導電性金属を堆積させ（ステップＳ１８）、これを原版と剥離することによりＲＯＭ部とＲＡＭ部の形成に必要なスタンパが完成する（ステップＳ１９）。このスタンパを使用し、射出成型法や２Ｐ法などにより光ディスク基板が大量に複製される（ステップＳ２０）。
【００３３】
その光ディスク基板にスパッタ法により、書き換え可能な相変化記録媒体の場合は、誘電層（ＺｎＳＳｉＯ２など）／記録層（ＡｇＩｎＳｂＴｅ，ＡｇＩｎＳｂＧｅＴｅ，ＧｅＳｂＴｅなど）／誘電層（ＺｎＳＳｉＯ２など）／反射層（ＡｌＴｉ、ＡｌＴａなど）の４層構成を形成する（ステップＳ２１）。
書き換え不可能なライトワンスの光ディスクの場合は、シアニン，フタロシアニンなどの色素材料を溶媒に溶解したものをスピンコーターにより塗布し、ＡｕやＡｇなどの反射膜をスパッタ法により形成する。その後、記録膜上にスピンコートにより、紫外線硬化樹脂を形成しＵＶ光を照射することにより紫外線硬化させる。
ハイブリッド光ディスク（オリジナル光ディスク１０）は、このプロセスで完了する（ステップＳ２２）。相変化のハイブリッド光ディスクの場合、初期化装置により基板面より大口径のＬＤビームを照射し記録層を結晶化させ、ハイブリッド光ディスクが出来上がる。
【００３４】
【発明の効果】
以上説明したように本発明によれば、以下の効果を発揮することができる。
請求項１記載の発明によれば、ＲＯＭ領域の第１の領域と第２の領域との双方に、それぞれオリジナル光ディスクであることを識別する情報（ＤｉｓｃＩＤ）をスタンプしてあるので、第１の領域と第２の領域にスタンプまたは記録されたＤｉｓｃＩＤを比較し、同一のＤｉｓｃＩＤであればオリジナル光ディスクと判断し、同一でなければコピー済み光ディスクと判断できる。
【００３５】
請求項２記載の発明によれば、ＲＯＭ領域に、コピー対象のハイブリッド光ディスクが、追記可であるか、追記不可であるかを判定する追記可否判定プログラムをスタンプしてあるので、コピー用光ディスクにオリジナル光ディスクからコピーした場合に、追記可否判定プログラムも同時にコピーされるので、コピー済み光ディスクだけで追記・コピーが可能か否かを判定できる。
請求項３記載の発明によれば、再生用ドライブに、追記可否判定プログラム読取手段と、ハイブリッド光ディスク識別情報読取手段と、追記可否判定手段とを備えたので、ドライブ単体で、装填されたオリジナル光ディスクまたはコピー用光ディスクに対し、ＤｉｓｃＩＤと追記可否判定プログラムを読み取り、それらの光ディスクに対し、追記可であるか、追記不可であるかを、判定することができる。
【００３６】
請求項４記載の発明によれば、請求項３記載のハイブリッド光ディスク再生用ドライブを、パーソナルコンピュータに接続した構成としてあるので、例えば図２に示すように、そのパーソナルコンピュータにより、装填された光ディスク（オリジナル光ディスクまたはコピー済み光ディスク）への追記・コピーが可能であるか、不可能であるかを判定することができる。
【図面の簡単な説明】
【図１】本発明の実施形態の説明で使用するハイブリッド光ディスクの模式図であって、（Ａ）はオリジナルのハイブリッド光ディスク、（Ｂ）はコピー済みのハイブリッド光ディスクである。
【図２】同実施形態におけるハイブリッド光ディスクを適用する装置のブロック図である。
【図３】同実施形態のフローチャート図である。
【図４】同実施形態で使用するオリジナル・ハイブリッド光ディスクの形成プロセスを示す図である。
【符号の説明】
ＰＣ…パソコン
１０…オリジナル光ディスク
１１…ＲＯＭ部
１１ａ…ＰＭＡ部
１１ｂ…ТＯＣ部
１１ｃ…データ部
１１ｄ…リードアウト部
１２…ＲＡＭ部
２０…コピー済み光ディスク
２１…ＲＯＭ部
２１ａ…ＰＭＡ部
２１ｂ…ＴＯＣ部
２１ｃ…データ部
２１ｄ…リードアウト部
２２…ＲＡＭ部
３０…ＣＤ−ＲＷドライブ
３１…追記可否判定プログラム読取部
３２…ＤｉｓｃＩＤ読取部
３３…追記可否判定部
４０…光ディスク判定制御部
４１…判定要求コマンド送受信部
４２…表示制御部
５０…表示部
【図１】
2004039014.tif 000003
【図２】
2004039014.tif 000004
【図３】
2004039014.tif 000005
【図４】
2004039014.tif 000006